(57)【要約】【課題】ユーザ端末における接続遅延を短縮すること。【解決手段】ユーザ端末は、第１の無線通信システムの第１の基地局及び第２の無線通信システムの第２の基地局を切り替えて接続処理を行う接続処理部と、接続処理が行われた第１の基地局に、通信可能な無線通信方式を通知する無線通信方式通知部と、該通信可能な無線通信方式に対する応答として通知された第２の基地局の情報に基づいて、該第２の基地局に対して接続要求を行う接続要求部と、第２の基地局に対して接続要求が行われたことを記録する履歴記録部とを有する。接続要求部は、第２の基地局との接続ができなかった場合に、履歴記録部に記録された第２の基地局に対する接続要求の回数に基づいて、第２の基地局への接続要求を継続するかどうかを設定する。【選択図】図２
2010245888.tif 000002
【特許請求の範囲】
【請求項１】
第１の無線通信方式により通信可能な第１の無線通信システムと、第２の無線通信方式により通信可能な第２の無線通信システムとを含む複数の無線通信システムを切り替えて無線通信可能なユーザ端末であって、
前記第１の無線通信システムの第１の基地局及び前記第２の無線通信システムの第２の基地局を切り替えて接続処理を行う接続処理部と、
該接続処理部により接続処理が行われた第１の基地局に、当該ユーザ端末の通信可能な無線通信方式を通知する無線通信方式通知部と、
該無線通信方式通知部により通知した当該ユーザ端末の通信可能な無線通信方式に対する応答として通知された第２の基地局の情報に基づいて、該第２の基地局に対して接続要求を行う接続要求部と、
該接続要求部により第２の基地局に対して接続要求が行われたことを記録する履歴記録部と
を有し、
前記接続要求部は、前記接続処理部により前記第２の基地局との接続ができなかった場合に、前記履歴記録部に記録された第２の基地局に対する接続要求の回数に基づいて、前記第２の基地局への接続要求を継続するかどうかを設定するユーザ端末。
【請求項２】
請求項１に記載のユーザ端末において、
前記接続要求部は、所定期間における接続要求の回数に基づいて、当該ユーザ端末と前記第２の基地局との間の通信が不可能であると判定される場合に、前記第２の基地局への接続要求を行わないと判定し、
前記接続処理部は、前記接続要求部により前記第２の基地局への接続要求を行わないと判定された場合に、前記第１の基地局と間で接続処理を行うユーザ端末。
【請求項３】
請求項１に記載のユーザ端末において、
前記第１の基地局からの下りリンクの信号に基づいて、通信品質を測定する通信品質測定部
を有し、
前記無線通信方式通知部は、前記第１の基地局に、前記通信品質測定部により測定された通信品質が所定の閾値より大きい場合に当該ユーザ端末の通信可能な無線通信方式として第２の無線通信方式を通知し、前記通信品質測定部により測定された通信品質が所定の閾値以下である場合に当該ユーザ端末の通信可能な無線通信方式として第１の無線通信方式を通知するユーザ端末。
【請求項４】
第１の無線通信方式により通信可能な第１の無線通信システムと、第２の無線通信方式により通信可能な第２の無線通信システムとを含む複数の無線通信システムを切り替えて無線通信可能なユーザ端末との間で無線通信を行う基地局であって、
前記ユーザ端末との間で接続処理を行う接続処理部と、
該接続処理部により接続処理が行われたユーザ端末により通信可能な無線通信方式として通知された第２の無線通信方式に基づいて、当該基地局の周辺に設置された第２の無線通信システムの第２の基地局の情報を取得する基地局情報取得部と、
該基地局情報取得部により取得された第２の基地局の情報を前記ユーザ端末に通知する基地局情報通知部と、
前記ユーザ端末から接続要求を受信したことを記録する履歴記録部と
を有し、
前記接続処理部は、前記履歴記録部に記録された前記ユーザ端末からの接続要求を受信した回数に基づいて、当該基地局との接続を継続するかどうかを判定し、
前記基地局情報通知部は、前記接続処理部により当該基地局との接続を継続しないと判定された場合に、前記第２の基地局の情報を前記ユーザ端末に通知し、
前記ユーザ端末は、当該基地局により第２の基地局の情報が通知された場合に、該第２の基地局に対して接続要求を行う基地局。
【請求項５】
第１の無線通信方式により通信可能な第１の無線通信システムと、第２の無線通信方式により通信可能な第２の無線通信システムとを含む複数の無線通信システムを切り替えて無線通信可能なユーザ端末における方法であって、
前記第１の無線通信システムの第１の基地局及び前記第２の無線通信システムの第２の基地局を切り替えて接続処理を行う接続処理ステップと、
該接続処理ステップにより接続処理が行われた第１の基地局に、当該ユーザ端末の通信可能な無線通信方式を通知する無線通信方式通知ステップと、
該無線通信方式通知ステップにより通知した当該ユーザ端末の通信可能な無線通信方式に対する応答として通知された第２の基地局の情報に基づいて、該第２の基地局に対して接続要求を行う接続要求ステップと、
該接続要求ステップにより第２の基地局に対して接続要求が行われたことを記録する履歴記録ステップと
を有し、
前記接続要求ステップでは、前記接続処理ステップにより前記第２の基地局との接続ができなかった場合に、前記履歴記録ステップにより記録された第２の基地局に対する接続要求の回数に基づいて、前記第２の基地局への接続要求を継続するかどうかを設定する方法。
【発明の詳細な説明】
【技術分野】
【０００１】
本発明は、無線通信システムに関し、特にユーザ端末及び基地局に関する。
【背景技術】
【０００２】
複数の無線通信方式を切り替えながら使用できる移動局装置（ユーザ端末）を考える。該移動局装置が適用される無線通信システムでは、複数の無線通信システムが展開される。該複数の無線通信システムは、ネットワークを介して接続される。
【０００３】
例えば、無線通信システムＡと無線通信システムＢとが存在し、無線通信システムＡは無線通信方式Ａにより通信可能であり、無線通信システムＢは無線通信方式Ｂにより通信可能である。無線通信システムＡと無線通信システムＢとはネットワークを介して接続される。無線通信システムＡ及びＢにそれぞれ含まれる基地局Ａ及びＢは、連携して、移動局装置に対して、無線通信方式Ａ又はＢに切り替えることを促す。
【０００４】
一例として、無線通信システムＡのサービスエリアは無線通信システムＢのサービスエリアよりも広く、無線通信システムＡの通信速度は無線通信システムＢの通信速度よりも遅い場合について説明する。移動局装置が発呼を行い基地局と接続することによりデータ通信を行う。例えば、該移動局装置は、無線通信システムＡの基地局Ａに優先的に発呼を行う。そして、基地局Ａは、該基地局Ａの近傍に無線通信方式Ｂの基地局Ｂが存在する場合には、移動局装置に対して基地局Ｂに接続するように促す。移動局装置は、基地局Ｂに接続する。基地局Ａに発呼を行い該基地局Ａに接続した後に、接続Ｂに接続することにより、移動局装置は、基地局への接続の際におけるサービスエリアが狭いことによる接続失敗の確率を低減できる。また、移動局装置が通信速度の高い無線通信方式により通信を行うことにより、効率的な通信を行うことが可能となり、ネットワーク全体のデータの通信容量を増加できる。
【０００５】
複数の無線通信方式を切り替える方法として、ファーストリダイレクション(Fast  redirection)と呼ばれる方法がある（例えば、非特許文献１参照）。
【０００６】
Fast  redirection方式では、移動局装置は、ロングタームエボリューション(LTE:  Long  Term  Evolution)及びユーエムティーエス(UMTS:  Universal  Mobile  Telecommunications  System)の両方の通信方式を有する場合について説明される。該移動局装置は、UMTSの基地局に発呼し、接続する。該移動局装置は、該UMTSの基地局に対して、接続要求と共に当該移動局装置がサポートしている無線通信方式を報告する。UMTSの基地局とLTEの基地局とはネットワークを介して接続されていることから、UMTSの基地局は、当該UMTSの基地局の近傍にLTEの基地局が位置する場合には、該LTEの基地局を検出することができる。
【０００７】
UMTSの基地局は、移動局装置がサポートしている無線通信方式にLTE方式が含まれ、且つ当該UMTSの基地局の近傍にLTEの基地局が位置する場合には、該移動局との接続を拒否する。そして、該UMTSの基地局は、移動局装置に、近傍に位置するLTEの基地局の伝送帯域の中心周波数の情報を通知する。移動局装置は、UMTSの基地局により通知された中心周波数によりLTEの基地局を探知する。そして、該移動局装置は、LTEの基地局に接続し、通信を開始する。
【先行技術文献】
【非特許文献】
【０００８】
【非特許文献１】3GPP TS 25.331 V8.5.0, Dec. 2008
【発明の概要】
【発明が解決しようとする課題】
【０００９】
Fast  redirection方式では、UMTSの基地局は、移動局装置に、LTEの基地局の伝送帯域の中心周波数を通知する。そして、移動局装置は、UMTSの基地局により通知された中心周波数に基づいて、LTEの基地局に接続する。
【００１０】
UMTSの基地局は、当該UMTSの基地局の周辺に位置するLTEの基地局の伝送帯域の中心周波数を通知するだけであるため、該中心周波数を通知された移動局装置が確実にLTEの基地局と接続できる保証はない。
【００１１】
特に、無線通信では、電波伝搬環境によって通信エリアが変化するため、移動局装置はUMTSの基地局から、LTEの基地局の中心周波数を通知されても、実際にLTEの基地局を探知できない可能性がある。LTEの基地局を検知できないと、接続できない。
【００１２】
LTEの基地局を探知できない場合、移動局装置は、再度UMTSの基地局に接続する動作を行う。該再度のUMTSの基地局への接続動作において、移動局装置は、該UMTSの基地局からLTEの基地局の中心周波数を再度通知されることもありうる。該UMTSの基地局からLTEの基地局の中心周波数を再度通知された場合、移動局装置は、LTEの基地局に再度接続できないこともありうる。UMTSの基地局からLTEの基地局の中心周波数を通知されても、該LTEの基地局と接続できない場合、通信の開始が大幅に遅れる。
【００１３】
そこで、本発明は上述した問題点に鑑みてなされたものであり、その目的は、ユーザ端末における接続遅延を短縮できるユーザ端末及び基地局、並びに方法を提供することにある。
【課題を解決するための手段】
【００１４】
上記課題を解決するため、本ユーザ端末は、
第１の無線通信方式により通信可能な第１の無線通信システムと、第２の無線通信方式により通信可能な第２の無線通信システムとを含む複数の無線通信システムを切り替えて無線通信可能なユーザ端末であって、
前記第１の無線通信システムの第１の基地局及び前記第２の無線通信システムの第２の基地局を切り替えて接続処理を行う接続処理部と、
該接続処理部により接続処理が行われた第１の基地局に、当該ユーザ端末の通信可能な無線通信方式を通知する無線通信方式通知部と、
該無線通信方式通知部により通知した当該ユーザ端末の通信可能な無線通信方式に対する応答として通知された第２の基地局の情報に基づいて、該第２の基地局に対して接続要求を行う接続要求部と、
該接続要求部により第２の基地局に対して接続要求が行われたことを記録する履歴記録部と
を有し、
前記接続要求部は、前記接続処理部により前記第２の基地局との接続ができなかった場合に、前記履歴記録部に記録された第２の基地局に対する接続要求の回数に基づいて、前記第２の基地局への接続要求を継続するかどうかを設定する。
【００１５】
本基地局は、
第１の無線通信方式により通信可能な第１の無線通信システムと、第２の無線通信方式により通信可能な第２の無線通信システムとを含む複数の無線通信システムを切り替えて無線通信可能なユーザ端末との間で無線通信を行う基地局であって、
前記ユーザ端末との間で接続処理を行う接続処理部と、
該接続処理部により接続処理が行われたユーザ端末により通信可能な無線通信方式として通知された第２の無線通信方式に基づいて、当該基地局の周辺に設置された第２の無線通信システムの第２の基地局の情報を取得する基地局情報取得部と、
該基地局情報取得部により取得された第２の基地局の情報を前記ユーザ端末に通知する基地局情報通知部と、
前記ユーザ端末から接続要求を受信したことを記録する履歴記録部と
を有し、
前記接続処理部は、前記履歴記録部に記録された前記ユーザ端末からの接続要求を受信した回数に基づいて、当該基地局との接続を継続するかどうかを判定し、
前記基地局情報通知部は、前記接続処理部により当該基地局との接続を継続しないと判定された場合に、前記第２の基地局の情報を前記ユーザ端末に通知し、
前記ユーザ端末は、当該基地局により第２の基地局の情報が通知された場合に、該第２の基地局に対して接続要求を行う。
【００１６】
本方法は、
第１の無線通信方式により通信可能な第１の無線通信システムと、第２の無線通信方式により通信可能な第２の無線通信システムとを含む複数の無線通信システムを切り替えて無線通信可能なユーザ端末における方法であって、
前記第１の無線通信システムの第１の基地局及び前記第２の無線通信システムの第２の基地局を切り替えて接続処理を行う接続処理ステップと、
該接続処理ステップにより接続処理が行われた第１の基地局に、当該ユーザ端末の通信可能な無線通信方式を通知する無線通信方式通知ステップと、
該無線通信方式通知ステップにより通知した当該ユーザ端末の通信可能な無線通信方式に対する応答として通知された第２の基地局の情報に基づいて、該第２の基地局に対して接続要求を行う接続要求ステップと、
該接続要求ステップにより第２の基地局に対して接続要求が行われたことを記録する履歴記録ステップと
を有し、
前記接続要求ステップでは、前記接続処理ステップにより前記第２の基地局との接続ができなかった場合に、前記履歴記録ステップにより記録された第２の基地局に対する接続要求の回数に基づいて、前記第２の基地局への接続要求を継続するかどうかを設定する。
【発明の効果】
【００１７】
開示のユーザ端末及び基地局、並びに方法によれば、ユーザ端末における接続遅延を短縮できる。
【図面の簡単な説明】
【００１８】
【図１】本実施例に従った複数の無線通信システムが混在する環境を示す説明図である。
【図２】本実施例に従った無線ネットワーク制御装置、基地局装置、ユーザ端末を示す機能ブロック図である。
【図３】本実施例に従った無線通信システムの動作を示すフロー図である。
【図４】本実施例に従った無線通信システムの動作を示すフロー図である。
【図５】本実施例に従った無線ネットワーク制御装置、基地局装置、ユーザ端末を示す機能ブロック図である。
【図６】本実施例に従った無線通信システムの動作を示すフロー図である。
【図７】本実施例に従った無線通信システムの動作を示すフロー図である。
【図８】本実施例に従った無線ネットワーク制御装置、基地局装置、ユーザ端末を示す機能ブロック図である。
【図９】本実施例に従った無線通信システムの動作を示すフロー図である。
【図１０】本実施例に従った無線通信システムの動作を示すフロー図である。
【発明を実施するための形態】
【００１９】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２０】
＜第１の実施例＞
＜無線通信システム＞
図１は、本実施例に従った無線ネットワーク制御装置(RNC:  Radio  Network  Controller)４００と、基地局(BS:  Base  Station)３００と、基地局(eNB:  eNodeB)５００と、ユーザ端末(UE:  User  Equipment)２００とが適用される環境を示す。
【００２１】
本無線ネットワーク制御装置４００と、基地局３００及び５００と、ユーザ端末２００とが適用される環境は、複数の異なる無線通信システムが混在する環境である。該無線通信システムには、W-CDMA方式の無線通信システムと、Evolved  UTRA  and  UTRAN方式の無線通信システムが含まれる。Evolved  UTRAN  and  UTRAN方式の無線通信システムは、ロングタームエボリューション(LTE:  Long  Term  Evolution)と呼ばれることもあるし、スーパ３Ｇ（Super3G）と呼ばれることもある。また、無線通信システムには、IEEE802.16eに準拠したMobile  WiMAX(Worldwide  Interoperability  for  Microwave  Access)、3GPP2におけるCDMA2000  1xEV-DO、UMB(Ultra  Mobile  Broadband)が含まれるようにしてもよい。
【００２２】
本実施例では、一例として複数の無線通信システムに、WCDMA方式が適用されるシステムと、LTE方式が適用されるシステムとが含まれる場合について説明する。複数の無線通信システムに、WCDMA方式が適用されるシステムと、LTE方式が適用されるシステムとが含まれる場合、LTE方式が適用されてからしばらくの間は、WCDMA方式が適用されるシステム
のサービスエリアは、LTE方式が適用されるシステムのサービスエリアより広い。また、LTE方式が適用されるシステムの伝送速度は、WCDMA方式が適用されるシステムの伝送速度より高い。
【００２３】
W-CDMA方式が適用されるシステム（以下、「第１のシステム」と呼ぶ）は、基地局(Base  Station)３００（３００１、３００２）と、無線ネットワーク制御装置４００とを含む。
【００２４】
基地局３００は無線ネットワーク制御装置４００と接続され、無線ネットワーク制御装置４００は、コアネットワーク７００と接続される。基地局３００１及び３００２は、それぞれセル３５０１及び３５０２をカバーする。また、図１には、無線ネットワーク制御装置４００に２台の基地局３００１及び３００２が接続されているが、１台でもよいし、３台以上でもよい。また、図１には、１台の無線ネットワーク制御装置４００が描かれているが、２台以上であってもよい。
【００２５】
Evolved  UTRA  and  UTRAN方式の無線通信システム（以下、「第２のシステム」と呼ぶ）は、基地局５００と、アクセスゲートウェイ６００とを含む。
【００２６】
基地局５００はアクセスゲートウェイ６００と接続され、アクセスゲートウェイ６００はコアネットワーク７００と接続される。基地局５００は、セル５５０をカバーする。アクセスゲートウェイ６００は、モビリティマネジメントエンティティ／サービングゲートウェイ(MME/SGW:  Mobility  Management  Entity/Serving  Gateway)と呼ばれることもある。図１には、アクセスゲートウェイ６００に１台の基地局５００が接続されているが、２台以上でもよい。また、図１には、１台のアクセスゲートウェイ６００が描かれているが、２台以上であってもよい。
【００２７】
また、図１には、ユーザ端末２００が描かれている。該ユーザ端末２００は、セル３５０（３５０１、３５０２）において、基地局３００（３００１、３００２）とW-CDMA方式により無線通信を行う。また、該ユーザ端末２００は、セル５５０において、基地局５００とEvolved  UTRA  and  UTRAN方式により無線通信を行う。換言すれば、ユーザ端末２００は、デュアルモード端末である。デュアルモード端末は、既存の無線通信システム、例えばW-CDMA方式と、新たに導入される無線通信システム、例えばLTE方式により通信を行うことができる。図１には、１台のユーザ端末２００が描かれているが、２台以上であってもよい。
【００２８】
本実施例に係るユーザ端末２００は、接続する無線通信システムを切り替えて、該当する基地局との間で無線通信を行う。本実施例では、一例として、第１のシステムと第２のシステムとの間で切り替えて無線通信を行う場合について説明する。具体的には、ユーザ端末２００は、第１のシステムの基地局３００と、第２のシステムの基地局５００との間で、接続する基地局を切り替える。
【００２９】
図２は、本実施例に従った無線ネットワーク制御装置４００と、基地局３００及び５００と、ユーザ端末２００とを示す機能ブロック図を示す。
【００３０】
図２には、説明の簡略化のために、図１に示されるアクセスゲートウェイ６００及びコアネットワーク７００が省略される。また、図１には基地局３００が２台描かれていたが、同様の動作をするため、図２には１台の基地局３００が描かれる。
【００３１】
＜無線ネットワーク制御装置＞
無線ネットワーク制御装置４００は、基地局情報通知部４０２と、記憶部４０４とを有する。無線ネットワーク制御装置４００は、第１のシステムと第２のシステムとを接続する。具体的には、W-CDMA方式が適用される第１のシステムの基地局３００とEvolved  UTRA  and  UTRAN方式が適用される第２のシステムの基地局５００との間を接続する。実際には、無線ネットワーク制御装置４００は、コアネットワーク７００と、アクセスゲートウェイ６００とを介して、基地局５００と接続される。
【００３２】
記憶部４０４は、基地局３００及び５００に関する情報を記憶する。該情報には、設置位置、基地局５００の伝送帯域の中心周波数が含まれる。
【００３３】
基地局情報通知部４０２は、記憶部４０４と接続され、基地局３００からの要求に応じて、該基地局３００の周辺に設置された基地局５００の情報を応答する。該基地局３００の周辺に設置された基地局５００には、基地局３００により基地局５００への接続を促されたユーザ端末２００が、該基地局５００からの下りリンクの信号を受信できると想定される範囲に設置された基地局が含まれる。例えば、基地局情報通知部４０２は、基地局３００の設置位置と、基地局５００の設置位置と、該基地局５００のセル半径とに基づいて、基地局３００に通知する基地局５００を設定する。さらに、ユーザ端末２００の位置に基づいて、基地局３００に通知する基地局５００を設定するようにしてもよい。
【００３４】
＜第1のシステムの基地局＞
基地局３００は、送受信部３０２と、通信制御部３０４と、送受信データ処理部３０６と、通信履歴記録部３０８とを有する。通信制御部３０４は、接続開始要求受信回数取得部３０４２と、接続基地局設定部３０４４とを有する。
【００３５】
送受信部３０２は、ユーザ端末２００に対して下りリンクの信号を送信する。該下りリンクの信号には、データや通信制御情報が含まれる。該通信制御情報には、共通パイロットチャネル(CPICH:  Common  Pilot  Channel)が含まれてもよい。ユーザ端末２００は、該共通パイロットチャネルを用いて、下りリンクの無線品質を算出する。該下りリンクの無線品質の算出には、希望波及び干渉波の受信電力を求めることが含まれてもよい。ユーザ端末２００は、下りリンクの無線品質に基づいて、接続開始要求を送信する基地局３００を選択する。また、送受信部３０２は、ユーザ端末２００からの上りリンクの信号を受信し、該受信信号を通信制御部３０４に入力する。該上りリンクの信号には、データや通信制御情報が含まれる。
【００３６】
通信制御部３０４は、送受信部３０２と接続され、該送受信部３０２により入力されたデータ及び通信制御情報を、それぞれ送受信データ処理部３０６及び通信履歴記録部３０８に入力する。
【００３７】
接続開始要求受信回数取得部３０４２は、ユーザ端末２００からの接続開始要求の受信回数M1を取得する。例えば、接続開始要求受信回数取得部３０４２は、通信履歴記録部３０８を参照し、ユーザ端末２００から接続開始要求を受信した日時から過去T1時間以内に、該ユーザ端末２００から接続開始要求を受信した回数M1を取得する。そして、接続開始要求受信回数取得部３０４２は、接続開始要求を受信した回数M1を接続基地局設定部３０４４に入力する。例えば、T1は、接続時間として許容される遅延時間に基づいて設定される。
【００３８】
接続基地局設定部３０４４は、接続開始要求受信回数取得部３０４２と接続され、接続開始要求受信回数取得部３０４２により入力された接続開始要求を受信した回数M1に基づいて、接続する基地局を設定する。接続基地局設定部３０４４は、接続開始要求を受信した回数M1が所定の回数Mより大きい場合に、当該基地局３００を接続する基地局に設定する。該所定の回数Mは、ユーザ端末２００が第２のシステムの基地局５００へ接続する回数として許容される回数に基づいて設定される。
【００３９】
送受信データ処理部３０６は、通信制御部３０４と接続される。送受信データ処理部３０６は、通信制御部３０４により入力されたデータを処理する。また、送受信データ処理部３０６は、ユーザ端末２００に送信すべき下りリンクの信号を生成する。該下りリンクの信号には、データや通信制御情報が含まれる。具体的には、下りリンクの信号には、当該基地局３００との接続を拒否する制御情報、当該基地局３００の周辺に設置された基地局５００の情報が含まれる。該基地局５００の情報には、該基地局５００の伝送帯域の中心周波数の情報が含まれる。
【００４０】
通信履歴記録部３０８は、接続開始要求を受信したユーザ端末２００毎に、通信の履歴を記録する。通信の履歴には、ユーザ端末２００から接続開始要求を受信した日時、該ユーザ端末２００の識別番号が含まれる。
【００４１】
＜第２のシステムの基地局＞
基地局５００は、送受信部５０２と、通信制御部５０４と、送受信データ処理部５０６とを有する。
【００４２】
送受信部５０２は、ユーザ端末２００に対して下りリンクの信号を送信する。該下りリンクの信号には、データや通信制御情報が含まれる。該通信制御情報には、同期チャネル(SCH:  Synchronization  Channel)が含まれてもよい。送受信部５０２は、当該基地局５００の送信周波数帯域の中央部分の周波数帯域に同期チャネルをマッピングし、送信する。ユーザ端末２００は、該基地局５００から送信される同期チャネルをサーチし、該同期チャネルに基づいて各基地局との間で同期を取る。
【００４３】
また、送受信部５０２は、ユーザ端末２００から上りリンクの信号を受信し、該受信信号を通信制御部５０４に入力する。該上りリンクの信号には、データや通信制御情報が含まれる。
【００４４】
通信制御部５０４は、送受信部５０２と接続され、該送受信部５０２により入力されたデータ及び通信制御情報を送受信データ処理部５０６に入力する。
【００４５】
送受信データ処理部５０６は、通信制御部５０４と接続される。送受信データ処理部５０６は、通信制御部５０４により入力されたデータを処理する。また、送受信データ処理部５０６は、ユーザ端末２００に送信すべき下りリンクの信号を生成する。該下りリンクの信号には、データや通信制御情報が含まれる。
【００４６】
＜ユーザ端末＞
ユーザ端末２００は、送受信部２０２と、通信制御部２０４と、送受信データ処理部２０６と、通信履歴記録部２０８とを有する。通信制御部２０４は、無線通信方式通知部２０４１と、接続処理部２０４２と、接続手続き回数取得部２０４４とを有する。
【００４７】
送受信部２０２は、基地局３００又は５００からの下りリンクの信号を受信し、通信制御部２０４に入力する。また、送受信部２０２は、通信制御部２０４による制御に従って、基地局３００又は５００に、上りリンクの信号を送信する。該上りリンクの信号には、データ及び／又は通信制御情報が含まれる。また、送受信部２０２は、通信制御部２０４による制御に従って、第１のシステムと第２のシステムとを切り替える。送受信部２０２は、第１のシステムとの間で通信を行う場合には、基地局３００との間で接続処理を行う。例えば、送受信部２０２は、共通パイロットチャネルを受信する。そして、該下りリンクの無線品質に基づいて選択された基地局３００に対して、接続開始要求を送信する。
【００４８】
また、送受信部２０２は、第２のシステムとの間で通信を行う場合には、基地局５００との間で接続処理を行う。例えば、送受信部２０２は、基地局３００により通知された基地局５００の伝送帯域の中心周波数に基づいて、基地局５００から送信される同期チャネルをサーチし、該基地局５００との間で同期を取る。そして、送受信部２０２は、該基地局５００に、接続開始要求を送信する。
【００４９】
通信制御部２０４は、送受信部２０２と接続され、送受信部２０２により入力された基地局３００又は５００からの下りリンクの信号に含まれるデータ及び通信制御情報を、それぞれ送受信データ処理部２０６及び通信履歴記録部２０８に入力する。
【００５０】
無線通信方式通知部２０４１は、当該ユーザ端末２００の通信可能な無線通信方式を保持しており、当該ユーザ端末２００との間で接続処理が行われた基地局３００に、送受信部２０２を通じて、当該ユーザ端末２００の通信可能な無線通信方式を通知する。例えば、無線通信方式通知部２０４２は、当該ユーザ端末２００の通信可能な無線通信方式として、第１のシステム及び／又は第２のシステムを通知する。
【００５１】
接続手続き回数取得部２０４４は、第１のシステムの基地局３００へ接続手続きを行った回数N1を取得する。該接続手続きを行った回数は、接続開始要求を送信した回数であってもよい。例えば、接続手続き回数取得部２０４４は、通信履歴記録部２０８を参照し、当該ユーザ端末２００が第２のシステムの基地局５００に接続できなかった場合に、該接続開始要求を送信した日時から過去T2時間以内に、第１のシステムの基地局３００へ接続手続きを行った回数N1取得する。接続手続き回数取得部２０４４は、第１のシステムの基地局３００へ接続手続きを行った回数N1を接続処理部２０４２に入力する。例えば、T2は、接続時間として許容される遅延時間に基づいて設定される。
【００５２】
接続処理部２０４２は、無線通信方式通知部２０４１及び接続手続き回数取得部２０４４と接続され、第１のシステムと第２のシステムとを切り替える制御を行う。接続処理部２０４２は、接続手続き回数取得部２０４４により入力された第１のシステムの基地局３００へ接続手続きを行った回数N1に基づいて、接続すべき基地局を設定する。接続処理部２０４２は、第１のシステムの基地局３００へ接続手続きを行った回数N1が所定の回数Nより大きい場合に、第１のシステムの基地局３００を接続すべき基地局に設定する。該所定の回数Nは、ユーザ端末２００が第１のシステムの基地局３００へ接続する回数として許容される回数に基づいて設定される。換言すれば、該所定の回数Nは、ユーザ端末２００が第２のシステムの基地局５００への接続が失敗した回数として許容される回数に基づいて設定される。
【００５３】
接続処理部２０４２は、通信履歴記録部２０８に、第１のシステムの基地局３００に接続手続きを行った日時を記録する。第１のシステムの基地局３００に、接続開始要求を送信した日時であってもよい。また、接続処理部２０４２は、通信履歴記録部２０８に、第２のシステムの基地局５００に接続手続きを行った日時を記録する。第２のシステムの基地局５００に、接続開始要求を送信した日時であってもよい。
【００５４】
送受信データ処理部２０６は、通信制御部２０４と接続される。送受信データ処理部２０６は、通信制御部２０４により入力されたデータを処理する。また、送受信データ処理部２０６は、基地局３００又は５００に送信すべき上りリンクの信号を生成する。該上りリンクの信号には、データや通信制御情報が含まれる。該通信制御情報には、通信開始要求が含まれる。
【００５５】
通信履歴記録部２０８は、当該ユーザ端末２００が接続開始要求を送信した基地局毎に、通信の履歴を記録する。通信の履歴には、第１のシステムの基地局３００に接続手続きを行った日時、第２のシステムの基地局５００に接続手続きを行った日時が含まれる。
【００５６】
＜本無線通信システムの動作＞
図３及び図４は、本無線通信システムにおける通信制御処理を示すフローチャートである。
【００５７】
ユーザ端末２００は、基地局３００に接続開始要求を送信する（ステップＳ３０２）。ユーザ端末２００は、共通パイロットチャネルを用いて、下りリンクの無線品質を算出する。そして、ユーザ端末２００は、下りリンクの無線品質に基づいて、接続開始要求を送信する基地局３００を選択する。送受信データ処理部２０６は、接続開始要求を生成し、通信制御部２０４に入力する。通信制御部２０４は、送受信データ生成部２０６により入力された接続開始要求を送受信部２０２に入力する。送受信部２０２は、通信制御部２０４による制御に従って、基地局３００に接続開始要求を送信する。
【００５８】
ユーザ端末２００は、接続開始要求を送信する際に、当該ユーザ端末２００の能力を識別するための情報（以下、ユーザ端末能力識別情報と呼ぶ）を送信する（ステップＳ３０４）。該ユーザ端末能力識別情報には、当該ユーザ端末２００が第１及び第２のシステムで通信ができることを示す情報が含まれる。無線通信方式通知部２０４１は、ユーザ端末能力識別情報を生成し、該ユーザ端末能力識別情報を送受信部２０２に入力する。送受信部２０２は、基地局３００に、無線通信方式通知部２０４１により入力されたユーザ端末能力識別情報を送信する。
【００５９】
例えば、ユーザ端末２００は、位置登録する際に、ユーザ端末能力識別情報を送信する。例えば、ユーザ端末２００は、ユーザ端末無線ケイパビリティ(UE  Radio  Capability)などを送信する。該UE  Radio  Capabilityにより、基地局３００は、ユーザ端末２００の能力を取得する。基地局３００は、端末能力識別情報に基づいて、該ユーザ端末２００が第１及び第２のシステムの両方をサポートできるデュアルモード端末であるかどうかを判別することができる。
【００６０】
尚、端末能力識別情報は、ユーザ端末２００からコアネットワーク７００に通知された国際移動局装置識別子ソフトウェアバージョンナンバー(IMEISV:  International  Mobile  station  Equipment  Identity  and  Software  Version  number)等の端末情報を基にコアネットワーク７００で生成され、該コアネットワーク７００から基地局３００に通知されてもよい。なおIMEISVは、3GPP標準に定められた16桁の数字である。IMEISVにより、ユーザ端末２００を一意に識別することやユーザ端末２００の種別を判別することができる。
【００６１】
ユーザ端末２００は、第１のシステムの基地局３００に接続を開始した日時を記録する（ステップＳ３０６）。通信制御部２０４は、基地局３００に接続開始要求を送信した日時を通信履歴記録部２０８に記録する。
【００６２】
基地局３００は、ユーザ端末２００から接続開始要求を受信すると、該受信日時から過去T1時間以内に、該ユーザ端末２００から接続開始要求を受信した回数M1を取得する（ステップＳ３０８）。接続開始要求受信回数取得部３０４２は、当該基地局３００がユーザ端末２００から接続開始要求を受信した際に、通信履歴記録部３０８に格納されたユーザ端末毎の処理の履歴を参照し、該接続開始要求の受信時刻から過去T1時間以内に、該ユーザ端末２００からの接続開始要求の受信回数M1を求める。
【００６３】
基地局３００は、ステップＳ３０８により求められたユーザ端末２００からの接続開始要求の受信回数M1がMよりも大きい値であるかを判定する。接続基地局設定部３０４４は、ユーザ端末２００からの接続開始要求の受信回数M1がMよりも大きい値であるかどうかを判定する。
【００６４】
ユーザ端末２００からの接続開始要求の受信回数M1がMよりも大きい値であると判定された場合（ステップＳ３１０：ＹＥＳ）、第1のシステムの基地局３００は、該ユーザ端末２００と接続する設定を行う（ステップＳ３１２）。接続基地局設定部３０４４は、ユーザ端末２００からの接続開始要求の受信回数M1がMよりも大きい値である場合、該ユーザ端末２００と接続する設定を行う。接続開始要求の受信回数M1がMよりも大きい値である場合には、接続開始要求の受信時刻から過去T1時間以内に、該ユーザ端末２００は、M回より多く第２のシステムの基地局５００との接続に失敗していると想定される。従って、再度第２のシステムの基地局５００に対して接続を試みても失敗する可能性が高いと想定されるため、当該基地局３００と接続する設定を行う。また、接続遅延の観点からも、再度第２のシステムの基地局５００への接続を促すよりは、当該基地局３００と接続するのが好ましい。
【００６５】
ユーザ端末２００からの接続開始要求の受信回数M1がMよりも大きい値でないと判定された場合(ステップＳ３１０：ＮＯ）、基地局３００は、無線ネットワーク制御装置４００に対して、当該基地局３００の周辺に設置された第２のシステムの基地局５００の情報を要求する（ステップＳ３１４）。接続基地局設定部３０４４は、ユーザ端末２００からの接続開始要求の受信回数M1がMよりも大きい値でない場合、無線ネットワーク制御装置４００に対して、当該基地局３００の周辺に設置された第２のシステムの基地局５００の情報を要求する。ユーザ端末２００からの接続開始要求の受信回数M1がM以下である場合には、第２のシステムの基地局５００への接続が成功する可能性があると想定される。また、接続遅延についても、まだ許容できる範囲であると想定される。伝送速度の観点から、再度第２のシステムの基地局５００への接続を促す方が好ましい。
【００６６】
基地局３００は、ユーザ端末２００に、当該基地局３００との接続を拒否する情報を含む制御情報と、ステップＳ３１４による要求に対する応答に含まれる当該基地局３００の周辺に設置された第２のシステムの基地局５００の情報を送信する（ステップＳ３１６）。接続基地局設定部３０４４は、無線ネットワーク制御装置４００から、当該基地局３００の周辺に設置された第２のシステムの基地局５００の情報を含む応答を受信すると、送受信データ処理部３０６に、当該基地局３００との接続を拒否する情報を含む制御情報を生成するように命令する。接続基地局設定部３０４４は、ユーザ端末２００に、送受信データ処理部３０６により生成された制御情報と、当該基地局３００の周辺に設置された第２のシステムの基地局５００の情報とを送信するように送受信部３０２を制御する。該第２のシステムの基地局５００の情報には、該基地局５００の送信帯域の中心周波数の情報が含まれる。
【００６７】
基地局３００は、ユーザ端末２００から接続開始要求を受信した日時と、該ユーザ端末の識別番号とを記録する（ステップＳ３１８）。接続基地局設定部３０４４は、通信履歴記録部３０８に、ユーザ端末２００から接続開始要求を受信した日時と、該ユーザ端末の識別番号とを記録する。
【００６８】
ユーザ端末２００は、基地局３００により通知された第２のシステムの基地局５００の情報に基づいて、第２のシステムの基地局５００を探知する（ステップＳ３２０）。送受信部２０２は、第２のシステムの基地局５００の送信帯域の中心周波数の情報に基づいて、基地局５００から送信される同期チャネルをサーチする。
【００６９】
ユーザ端末２００は、第２のシステムの基地局５００を探知でき、接続できたかどうかを判断する（ステップＳ３２２）。接続処理部２０４２は、第２のシステムの基地局５００から送信される同期チャネルをサーチし、該同期チャネルに基づいて該基地局５００との間で同期を取り、接続要求を送信することにより接続することができたかどうかを判断する。
【００７０】
ユーザ端末２００が第２のシステムの基地局５００を探知でき、接続できたと判断された場合（ステップＳ３２２：ＹＥＳ）、ユーザ端末２００は、第２のシステムの基地局５００と通信を開始する（ステップＳ３２４）。
【００７１】
ユーザ端末２００が第２のシステムの基地局５００を探知できない場合、又は探知できたが接続できない場合（ステップＳ３２２：ＮＯ）、ユーザ端末２００は、第２のシステムの基地局５００に接続手続きを行った日時を記録する。同期チャネルのサーチを開始した日時でもよい。接続処理部２０４２は、通信履歴記録部２０８に、第２のシステムの基地局５００に接続手続きを行った日時を記録する。
【００７２】
ユーザ端末２００は、過去T2時間以内に、第1のシステムの基地局３００と接続を行った回数N1を求める。接続手続き回数取得部２０４４は、通信履歴記録部２０８を参照し、過去T2時間以内に、第1のシステムの基地局３００と接続を行った回数N1を求める。
【００７３】
ユーザ端末２００は、第1のシステムの基地局３００へ接続手続きを行った回数N1がNよりも大きい値であるかを判断する（ステップＳ３３０）。接続手続き回数取得部２０４４は、第1のシステムの基地局３００へ接続手続きを行った回数N1がNよりも大きい値であるかを判断する。
【００７４】
第1のシステムの基地局３００へ接続手続きを行った回数N1がNよりも大きい値でない場合（ステップＳ３３０：ＮＯ）、ステップＳ３０２に戻る。ユーザ端末２００は、再度第１のシステムの基地局３００に接続開始要求を送信する。第1のシステムの基地局３００へ接続手続きを行った回数N1がNよりも大きい値でない場合には、第２のシステムの基地局５００への接続が成功する可能性があると想定される。第1のシステムの基地局３００へ接続手続きを行った回数N1がNよりも大きい値でない場合には、第２のシステムの基地局５００への接続手続きが失敗した回数もNより大きくないため、再度、第２のシステムの基地局５００へ接続要求を行うことにより、該基地局５００への接続が成功する可能性があると想定される。第２のシステムの基地局５００への接続を促すほうが伝送速度の観点からも好ましい。
【００７５】
基地局３００へ接続手続きを行った回数N1がNよりも大きい値である場合（ステップＳ３３０：ＹＥＳ）、ユーザ端末２００は、第1のシステムの基地局３００に接続開始要求を送信する（ステップＳ３３２）。接続処理部１０４２は、第1のシステムの基地局３００に接続開始要求を送信する。そして、接続処理部２０４２は、無線通信方式通知部２０４１に、第１のシステムと接続することを通知する。第1のシステムの基地局３００へ接続手続きを行った回数N1がNよりも大きい値である場合には、過去T2時間以内に、該ユーザ端末２００は、N回より多く第２のシステムの基地局５００との接続に失敗していると想定される。従って、再度第２のシステムの基地局５００に対して接続を試みても失敗する可能性が高いと想定されるため、基地局３００と接続するように促される。
【００７６】
ユーザ端末２００は、接続開始要求を送信する際に、当該ユーザ端末２００のユーザ端末能力識別情報を送信する（ステップＳ３３４）。該ユーザ端末能力識別情報には、当該ユーザ端末２００が第１のシステムにより通信が可能であることを示す情報が含まれる。無線通信方式通知部２０４１は、当該ユーザ端末２００が第１のシステムにより通信が可能であることを通知する。当該ユーザ端末２００が第１及び第２のシステムにより通信が可能であっても、第１のシステムにより通信が可能であることを通知することにより、確実に第1のシステムの基地局３００との間で接続処理を行うことができる。
【００７７】
ユーザ端末２００と第1のシステムの基地局３００との間で通信が開始される（ステップＳ３３６）。
【００７８】
本実施例によれば、ユーザ端末２００は、第１のシステムに優先的に接続を行う。第１のシステムは、第２のシステムよりサービスエリアが広いため、第１のシステムに優先的に接続を行うことにより、接続の失敗が生じる可能性を低減できる。
【００７９】
本実施例によれば、ユーザ端末２００は、第１のシステムの基地局３００と接続後、該基地局３００から第２のシステムの基地局５００と接続するように促される。第２のシステムの基地局５００と接続することにより、第１のシステムよりも高い伝送速度で通信を行うことができる。
【００８０】
本実施例によれば、第１のシステムの基地局３００は、所定時間の間における当該基地局３００とユーザ端末２００との間の接続回数に基づいて、該ユーザ端末２００に第２のシステムの基地局５００との接続を促すかどうかを判断する。所定時間の間における当該基地局３００とユーザ端末２００との間の接続回数は、ユーザ端末２００が第２のシステムの基地局５００との接続に失敗した回数に相当する。従って、該接続回数が許容される回数以下である場合に第２のシステムの基地局５００との接続を促し、該接続回数が許容される回数より大きい場合に第２のシステムの基地局５００との接続を促さないことにより、更なる接続の失敗を回避できる。また、更なる接続の失敗を回避できるため、接続遅延を短縮できる。
【００８１】
＜第２の実施例＞
＜無線通信システム＞
本無線通信システムは、上述した実施例と同様に図１により説明される。
【００８２】
図５は、本実施例に従った無線ネットワーク制御装置４００と、基地局装置３００及び５００と、ユーザ端末２００とを示す機能ブロック図を示す。無線ネットワーク制御装置４００、基地局５００、ユーザ端末２００については、上述した実施例と同様である。
【００８３】
基地局３００は、図２を参照して説明した基地局３００において、接続開始要求受信回数取得部３０４２が省略される。
【００８４】
本無線通信システムでは、ユーザ端末２００に記録された通信の履歴に基づいて、当該ユーザ端末２００が接続するシステムを選択する。
【００８５】
＜本無線通信システムの動作＞
図６及び図７は、本無線通信システムにおける通信制御処理を示すフローチャートである。
【００８６】
ユーザ端末２００は、基地局３００に接続開始要求を送信する（ステップＳ６０２）。ユーザ端末２００は、共通パイロットチャネルを用いて、下りリンクの無線品質を算出する。そして、ユーザ端末２００は、下りリンクの無線品質に基づいて、接続開始要求を送信する基地局３００を選択する。送受信データ処理部２０６は、接続開始要求を生成し、通信制御部２０４に入力する。通信制御部２０４は、送受信データ生成部２０６により入力された接続開始要求を送受信部２０２に入力する。送受信部２０２は、通信制御部２０４による制御に従って、基地局３００に接続開始要求を送信する。
【００８７】
ユーザ端末２００は、接続開始要求を送信する際に、当該ユーザ端末２００のユーザ端末能力識別情報を送信する（ステップＳ６０４）。無線通信方式通知部２０４１は、ユーザ端末能力識別情報を生成し、該ユーザ端末能力識別情報を送受信部２０２に入力する。送受信部２０２は、基地局３００に、無線通信方式通知部２０４１により入力されたユーザ端末能力識別情報を送信する。該ユーザ端末能力識別情報には、当該ユーザ端末２００が第１及び第２のシステムにより通信が可能であることを示す情報が含まれる。
【００８８】
第1のシステムの基地局３００は、無線ネットワーク制御装置４００に対して、当該基地局３００の周辺に設置された第２のシステムの基地局５００の情報を要求する（ステップＳ６０６）。接続基地局設定部３０４４は、無線ネットワーク制御装置４００に対して、当該基地局３００の周辺に設置された第２のシステムの基地局５００の情報を要求する。
【００８９】
基地局３００は、ユーザ端末２００に、当該基地局３００との接続を拒否する情報を含む制御情報と、ステップＳ６０６による要求に対する応答に含まれる当該基地局３００の周辺に設置された第２のシステムの基地局５００の情報を送信する（ステップＳ６０８）。接続基地局設定部３０４４は、無線ネットワーク制御装置４００から、当該基地局３００の周辺に設置された第２のシステムの基地局５００の情報を含む応答を受信すると、送受信データ処理部３０６に、当該基地局３００との接続を拒否する情報を含む制御情報を生成するように命令する。接続基地局設定部３０４４は、ユーザ端末２００に、送受信データ処理部３０６により生成された制御情報と、当該基地局３００の周辺に設置された第２のシステムの基地局５００の情報とを送信するように送受信部３０２を制御する。該第２のシステムの基地局５００の情報には、該基地局５００の送信帯域の中心周波数の情報が含まれる。
【００９０】
基地局３００は、ユーザ端末２００から接続開始要求を受信した日時と、該ユーザ端末の識別番号とを記録する（ステップＳ６１０）。接続基地局設定部３０４４は、通信履歴記録部３０８に、ユーザ端末２００から接続開始要求を受信した日時と、該ユーザ端末の識別番号とを記録する。
【００９１】
ユーザ端末２００は、基地局３００により通知された第２のシステムの基地局５００の情報に基づいて、第２のシステムの基地局５００を探知する（ステップＳ６１２）。送受信部２０２は、第２のシステムの基地局５００の送信帯域の中心周波数の情報に基づいて、基地局５００から送信される同期チャネルをサーチする。接続処理部２０４２は、送信履歴記録部２０８に、第２のシステムの基地局５００からの同期チャネルのサーチを開始した日時を記録する。
【００９２】
ユーザ端末２００は、第２のシステムの基地局５００を探知でき、接続できたかどうかを判断する（ステップＳ６１４）。接続処理部２０４２は、第２のシステムの基地局５００から送信される同期チャネルをサーチし、該同期チャネルに基づいて該基地局５００との間で同期を取り、接続要求を送信することにより、接続できたかどうかを判断する。
【００９３】
ユーザ端末２００が第２のシステムの基地局５００を探知でき、接続できたと判断された場合（ステップＳ６１４：ＹＥＳ）、ユーザ端末２００は、第２のシステムの基地局５００と通信を開始する（ステップＳ６１６）。
【００９４】
ユーザ端末２００が第２のシステムの基地局５００を探知できない場合、又は探知できたが接続できない場合（ステップＳ６１４：ＮＯ）、ユーザ端末２００は、時刻T3において再度第２のシステムの基地局５００を探知する（ステップＳ６１８）。該T3は、第２のシステムの基地局５００の探知を再試行する時間として予め設定されてもよい。送受信部２０２は、第２のシステムの基地局５００から送信される同期チャネルをサーチし、該同期チャネルに基づいて、該基地局５００との間で同期を取る。接続処理部２０４２は、送信履歴記録部２０８に、第２のシステムの基地局５００からの同期チャネルのサーチを開始した日時を記録する。
【００９５】
ユーザ端末２００は、第２のシステムの基地局５００を探知でき、接続できたかを判断する（ステップＳ６２０）。接続処理部２０４２は、第２のシステムの基地局５００から送信される同期チャネルをサーチし、該同期チャネルに基づいて該基地局５００との間で同期を取り、接続要求を送信することにより接続できたかどうかを判断する。
【００９６】
ユーザ端末２００が第２のシステムの基地局５００を探知でき、接続できたと判断された場合（ステップＳ６２０：ＹＥＳ）、ユーザ端末２００は、第２のシステムの基地局５００と通信を開始する（ステップＳ６２２）。
【００９７】
ユーザ端末２００が第２のシステムの基地局５００を探知できない場合、又は探知できたが接続できない場合（ステップＳ６２０：ＮＯ）、ユーザ端末２００は、第２のシステムの基地局５００への接続実施回数をカウントし、該接続実施回数がＯ回を超えたかを判断する（ステップＳ６２４）。接続手続き回数取得部２０４４は、通信履歴記録部２０８を参照し、第２のシステムの基地局５００への接続実施回数として、探知回数をカウントし、
接続処理部２０４２に入力する。接続処理部２０４２は、接続手続き回数取得部２０４４により入力された接続実施回数がＯ回を超えたかを判断する。該Ｏは、ユーザ端末２００が第２のシステムの基地局５００への接続回数として許容される回数に基づいて、設定される。
【００９８】
接続実施回数がＯ回を超えたと判断されない場合（ステップＳ６２４：ＮＯ）、ステップＳ６１８に戻る。接続実施回数がＯ回を超えるか第２のシステムの基地局５００と接続できるまで、ユーザ端末２００は、第２のシステムの基地局５００の探知を継続する。
【００９９】
接続実施回数がＯ回を超えたと判断された場合（ステップＳ６２４：ＹＥＳ）、ユーザ端末２００は、第1のシステムの基地局３００に接続開始要求を送信する（ステップＳ６２６）。接続処理部２０４２は、第1のシステムの基地局３００に接続開始要求を送信する。そして、接続処理部２０４２は、無線通信方式通知部２０４１に、第１のシステムと接続することを通知する。第２のシステムの基地局５００への接続実施回数がＯ回を超えても第２のシステムの基地局５００と接続できない場合には、再度第２のシステムの基地局５００に対して接続を試みても失敗する可能性が高いと想定されるため、基地局３００と接続する設定を行う。
【０１００】
ユーザ端末２００は、接続開始要求を送信する際に、当該ユーザ端末２００のユーザ端末能力識別情報を送信する（ステップＳ６２８）。該ユーザ端末能力識別情報には、当該ユーザ端末２００が第１のシステムにより通信が可能であることを示す情報が含まれる。無線通信方式通知部２０４１は、当該ユーザ端末２００が第１のシステムにより通信が可能であることを通知する。当該ユーザ端末２００が第１及び第２のシステムにより通信が可能であっても、第１のシステムにより通信が可能であることを通知することにより、確実に第1のシステムの基地局３００との間で接続処理を行うことができる。
【０１０１】
ユーザ端末２００と第1のシステムの基地局３００との間で通信が開始される（ステップＳ６３０）。
【０１０２】
本実施例によれば、ユーザ端末２００は、当該ユーザ端末２００の履歴情報に基づいて、第２のシステムの基地局５００と接続するかどうかが設定される。該履歴情報には、当該ユーザ端末２００が第２のシステムの基地局５００へ接続開始要求を行った回数が含まれる。従って、基地局３００側に履歴情報を記録する必要がない。上記フローでは、第１のシステムの基地局３００がユーザ端末２００の通信の履歴を記録する場合について説明したが、ユーザ装置２００は、該通信の履歴に関係なく、接続するシステムを選択できる。
【０１０３】
＜第３の実施例＞
＜無線通信システム＞
本無線通信システムは、上述した実施例と同様に図１により説明される。
【０１０４】
図８は、本実施例に従った無線ネットワーク制御装置４００と、基地局装置３００及び５００と、ユーザ端末２００とを示す機能ブロック図を示す。無線ネットワーク制御装置４００、基地局５００については、上述した実施例と同様である。
【０１０５】
基地局３００は、図２を参照して説明した基地局３００において、接続開始要求受信回数取得部３０４２が省略される。ユーザ端末２００は、図２を参照して説明したユーザ端末２００において、接続手続き回数取得部２０４４の代わりに通信品質測定部２０４６を有する。
【０１０６】
本無線通信システムでは、ユーザ端末２００は通信品質を測定し、該通信品質に基づいて、当該ユーザ端末２００が接続するシステムを設定する。
【０１０７】
＜本無線通信システムの動作＞
図９及び図１０は、本無線通信システムにおける接続処理を示すフローチャートである。
【０１０８】
ユーザ端末２００は、第１のシステムの基地局３００により送信された下りリンクの信号に基づいて、通信品質を測定する（ステップＳ９０２）。通信品質測定部２０４６は、下りリンクの信号に基づいて、通信品質を測定する。具体的には、通信品質測定部２０４６は、第１のシステムの基地局３００により送信された下りリンクの信号に対して逆拡散処理を行い、得られた共通パイロットチャネルを用いて、下りリンクの通信品質を算出する。例えば、希望波及び干渉波の受信電力を求める。通信品質測定部２０４６は、下りリンクの通信品質を接続処理部２０４２に入力する。
【０１０９】
ユーザ端末２００は、ステップＳ９０２により測定された通信品質が閾値以上であるかどうかを判定する（ステップＳ９０４）。接続処理部２０４２は、通信品質測定部２０４６により入力された通信品質が閾値以上であるかどうかを判定する。該閾値は、当該ユーザ端末２００と第１のシステムの基地局３００との間で許容される通信品質に基づいて設定される。
【０１１０】
通信品質が閾値以上でない場合（ステップＳ９０６：ＮＯ）、ユーザ端末２００は、第1のシステムの基地局３００に接続開始要求を送信する（ステップＳ９０８）。接続処理部２０４２は、第1のシステムの基地局３００に接続開始要求を送信する。第１のシステムの基地局３００との間における通信品質が閾値未満である場合には、第２のシステムの基地局５００に対して接続を試みても失敗する可能性が高いと想定されるため、基地局３００と接続する設定を行う。
【０１１１】
ユーザ端末２００は、接続開始要求を送信する際に、当該ユーザ端末２００のユーザ端末能力識別情報を送信する（ステップＳ９１０）。該ユーザ端末能力識別情報には、当該ユーザ端末２００が第１のシステムにより通信が可能であることを示す情報が含まれる。無線通信方式通知部２０４１は、当該ユーザ端末２００が第１のシステムにより通信が可能であることを通知する。当該ユーザ端末２００が第１及び第２のシステムにより通信が可能であっても、第１のシステムにより通信が可能であることを通知することにより、確実に第1のシステムの基地局３００との間で接続処理を行うことができる。
【０１１２】
ユーザ端末２００と第1のシステムの基地局３００との間で通信が開始される（ステップＳ９１２）。
【０１１３】
通信品質が閾値以上である場合（ステップＳ９０６：ＹＥＳ）、ユーザ端末２００は、基地局３００に接続開始要求を送信する（ステップＳ９１４）。通信制御部２０４は、送受信データ生成部２０６により入力された接続開始要求を送受信部２０２に入力する。送受信部２０２は、通信制御部２０４による制御に従って、基地局３００に接続開始要求を送信する。
【０１１４】
ユーザ端末２００は、接続開始要求を送信する際に、当該ユーザ端末２００のユーザ端末能力識別情報を送信する（ステップＳ９１６）。無線通信方式通知部２０４１は、ユーザ端末能力識別情報を生成し、該ユーザ端末能力識別情報を送受信部２０２に入力する。送受信部２０２は、基地局３００に、無線通信方式通知部２０４１により入力されたユーザ端末能力識別情報を送信する。該ユーザ端末能力識別情報には、当該ユーザ端末２００が第１及び第２のシステムにより通信が可能であることを示す情報が含まれる。
【０１１５】
基地局３００は、無線ネットワーク制御装置４００に対して、当該基地局３００の周辺に設置された第２のシステムの基地局５００の情報を要求する（ステップＳ９１８）。接続基地局設定部３０４４は、無線ネットワーク制御装置４００に対して、当該基地局３００の周辺に設置された第２のシステムの基地局５００の情報を要求する。
【０１１６】
基地局３００は、ユーザ端末２００に、当該基地局３００との接続を拒否する情報を含む制御情報と、ステップＳ９１８による要求に対する応答に含まれる当該基地局３００の周辺に設置された第２のシステムの基地局５００の情報を送信する（ステップＳ９２０）。接続基地局設定部３０４４は、無線ネットワーク制御装置４００から、当該基地局３００の周辺に設置された第２のシステムの基地局５００の情報を含む応答を受信すると、送受信データ処理部３０６に、当該基地局３００との接続を拒否する情報を含む制御情報を生成するように命令する。接続基地局設定部３０４４は、ユーザ端末２００に、送受信データ処理部３０６により生成された制御情報と、当該基地局３００の周辺に設置された第２のシステムの基地局５００の情報とを送信するように送受信部３０２を制御する。該第２のシステムの基地局５００の情報には、該基地局５００の送信帯域の中心周波数の情報が含まれる。
【０１１７】
基地局３００は、ユーザ端末２００から接続開始要求を受信した日時と、該ユーザ端末の識別番号とを記録する（ステップＳ９２２）。接続基地局設定部３０４４は、通信履歴記録部３０８に、ユーザ端末２００から接続開始要求を受信した日時と、該ユーザ端末の識別番号とを記録する。
【０１１８】
ユーザ端末２００は、基地局３００により通知された第２のシステムの基地局５００の情報に基づいて、第２のシステムの基地局５００を探知する（ステップＳ９２４）。送受信部２０２は、第２のシステムの基地局５００の送信帯域の中心周波数の情報に基づいて、基地局５００から送信される同期チャネルをサーチする。接続処理部２０４２は、送信履歴記録部２０８に、第２のシステムの基地局５００からの同期チャネルのサーチを開始した日時を記録する。
【０１１９】
ユーザ端末２００は、第２のシステムの基地局５００を探知でき、接続できたかどうかを判断する（ステップＳ９２６）。接続処理部２０４２は、第２のシステムの基地局５００から送信される同期チャネルをサーチし、該同期チャネルに基づいて該基地局５００との間で同期を取り、接続要求を送信することにより接続できたかどうかを判断する。
【０１２０】
ユーザ端末２００が第２のシステムの基地局５００を探知でき、接続できたと判断された場合（ステップＳ９２６：ＹＥＳ）、ユーザ端末２００は、第２のシステムの基地局５００と通信を開始する（ステップＳ９２８）。
【０１２１】
ユーザ端末２００が第２のシステムの基地局５００を探知できない場合、又は探知できたが接続できない場合（ステップＳ９２６：ＮＯ）、ユーザ端末２００は、時刻T3において再度第２のシステムの基地局５００を探知する（ステップＳ９３０）。送受信部２０２は、第２のシステムの基地局５００から送信される同期チャネルをサーチし、該同期チャネルに基づいて、該基地局５００との間で同期を取る。接続処理部２０４２は、送信履歴記録部２０８に、第２のシステムの基地局５００からの同期チャネルのサーチを開始した日時を記録する。
【０１２２】
ユーザ端末２００は、第２のシステムの基地局５００を探知でき、接続できたかを判断する（ステップＳ９３２）。接続処理部２０４２は、第２のシステムの基地局５００から送信される同期チャネルをサーチし、該同期チャネルに基づいて該基地局５００との間で同期を取り、接続要求を送信することにより接続できたかどうかを判断する。
【０１２３】
ユーザ端末２００が第２のシステムの基地局５００を探知でき、接続できたと判断された場合（ステップＳ９３２：ＹＥＳ）、ユーザ端末２００は、第２のシステムの基地局５００と通信を開始する（ステップＳ９３４）。
【０１２４】
ユーザ端末２００が第２のシステムの基地局５００を探知できない場合、又は探知できたが接続できない場合（ステップＳ９３２：ＮＯ）、ユーザ端末２００は、第２のシステムの基地局５００への接続実施回数をカウントし、該接続実施回数がＯ回を超えたかを判断する（ステップＳ９３６）。接続手続き回数取得部２０４４は、通信履歴記録部２０８を参照し、第２のシステムの基地局５００への接続実施回数として、探知回数をカウントし、
接続処理部２０４２に入力する。接続処理部２０４２は、接続手続き回数取得部２０４４により入力された接続実施回数がＯ回を超えたかを判断する。該Ｏは、ユーザ端末２００が第２のシステムの基地局５００への接続回数として許容される回数に基づいて、設定される。
【０１２５】
接続実施回数がＯ回を超えたと判断されない場合（ステップＳ９３６：ＮＯ）、ステップＳ９３０に戻る。接続実施回数がＯ回を超えるか第２のシステムの基地局５００と接続できるまで、ユーザ端末２００は、第２のシステムの基地局５００の探知を継続する。
【０１２６】
接続実施回数がＯ回を超えたと判断された場合（ステップＳ９３６：ＹＥＳ）、ユーザ端末２００は、第1のシステムの基地局３００に接続開始要求を送信する（ステップＳ９３８）。接続処理部２０４２は、第1のシステムの基地局３００に接続開始要求を送信する。
そして、接続処理部２０４２は、無線通信方式通知部２０４１に、第１のシステムと接続することを通知する。第２のシステムの基地局５００への接続実施回数がＯ回を超えても第２のシステムの基地局５００と接続できない場合には、再度第２のシステムの基地局５００に対して接続を試みても失敗する可能性が高いと想定されるため、基地局３００と接続する設定を行う。
【０１２７】
ユーザ端末２００は、接続開始要求を送信する際に、当該ユーザ端末２００のユーザ端末能力識別情報を送信する（ステップＳ９４０）。該ユーザ端末能力識別情報には、当該ユーザ端末２００が第１のシステムにより通信が可能であることを示す情報が含まれる。無線通信方式通知部２０４１は、当該ユーザ端末２００が第１のシステムにより通信が可能であることを通知する。当該ユーザ端末２００が第１及び第２のシステムにより通信が可能であっても、第１のシステムにより通信が可能であることを通知することにより、確実に第1のシステムの基地局３００との間で接続処理を行うことができる。
【０１２８】
ユーザ端末２００と第1のシステムの基地局３００との間で通信が開始される（ステップＳ９４２）。
【０１２９】
本実施例によれば、ユーザ端末２００は、下りリンクの通信品質に基づいて、第２のシステムへの接続を試みるかを判断できる。下りリンクの通信品質が悪い場合には、第２のシステムへの接続は行われないため、第２のシステムへの接続処理の回数を低減できる。また、接続の遅延時間も短縮できる。
【０１３０】
上述した実施例において、通信履歴記録部２０８及び３０８に記録される通信の履歴の保持時間を制限し、予め設定された時間が経過した通信の履歴は自動的に削除するようにしてもよい。通信の履歴を自動的に削除することにより、ユーザ端末２００及び基地局３００に要求される記憶容量を削減できる。
【０１３１】
上述した実施例において、ユーザ端末２００の接続するシステムに関する処理は、無線ネットワーク制御装置４００により行われるようにしてもよいし、第２のシステムの基地局５００において行われるようにしてもよい。さらに、無線ネットワーク制御装置４００、第１のシステムの基地局５００、及び第２のシステムの基地局５００により協働して行われるようにしてもよい。
【０１３２】
本実施例によれば、第１の無線通信方式により通信可能な第１の無線通信システムと、第２の無線通信方式により通信可能な第２の無線通信システムとを含む複数の無線通信システムを切り替えて無線通信可能なユーザ端末２００が提供される。該ユーザ端末２００は、前記第１の無線通信システムの第１の基地局及び前記第２の無線通信システムの第２の基地局３００を切り替えて接続処理を行う接続処理部としての接続処理部２０４２と、該接続処理部により接続処理が行われた第１の基地局３００に、当該ユーザ端末の通信可能な無線通信方式を通知する無線通信方式通知部としての無線通信方式通知部２０４１と、該無線通信方式通知部により通知した当該ユーザ端末２００の通信可能な無線通信方式に対する応答として通知された第２の基地局５００の情報に基づいて、該第２の基地局５００に対して接続要求を行う接続要求部としての接続処理部２０４２と、該接続要求部により第２の基地局５００に対して接続要求が行われたことを記録する履歴記録部としての通信履歴記録部２０８を有する。前記接続要求部は、前記接続処理部により前記第２の基地局５００との接続ができなかった場合に、前記履歴記録部に記録された第２の基地局５００に対する接続要求の回数に基づいて、前記第２の基地局５００への接続要求を継続するかどうかを設定し、前記第１の基地局は、当該ユーザ端末により通信可能な無線通信方式として通知された第２の無線通信方式に基づいて、前記第１の基地局の周辺に設置された第２の基地局の情報を取得し、該情報を当該ユーザ端末に通知する。
【０１３３】
第２の基地局５００に対する接続要求の回数に基づいて第２の基地局５００への接続要求を継続するかどうかを判断することにより、第２の基地局５００に接続できない場合に、該第２の基地局５００に対する接続要求の回数を低減できる。該第２の基地局５００に対する接続要求の回数を低減できるため、第２の基地局５００への接続要求時間を短縮できる。上述した実施例では、接続処理部２０４２が、接続処理部の機能と接続要求部の機能を有する場合について説明した。しかし、接続処理部２０４２を、接続処理部と接続要求部とに分けて構成してもよい。
【０１３４】
さらに、前記接続要求部は、所定期間における接続要求の回数に基づいて、当該ユーザ端末２００と前記第２の基地局５００との間の通信が不可能であると判定される場合に、前記第２の基地局５００への接続要求を行わないと判定する。前記接続処理部は、前記接続要求部により前記第２の基地局５００への接続要求を行わないと判定された場合に、前記第１の基地局３００との間で接続処理を行う。
【０１３５】
第２の基地局５００に対する接続要求の回数に基づいて第１の基地局３００との間で接続処理を行うことにより、第２の基地局５００に対する接続要求の回数が増加し、当該ユーザ端末２００と第２の基地局５００との間の通信が不可能であると判定される場合に、第１の基地局３００との間で接続処理を行うことができる。
【０１３６】
さらに、前記第１の基地局３００からの下りリンクの信号に基づいて、通信品質を測定する通信品質測定部を有する。前記無線通信方式通知部は、前記第１の基地局３００に、前記通信品質測定部により測定された通信品質が所定の閾値より大きい場合に当該ユーザ端末２００の通信可能な無線通信方式として第２の無線通信方式を通知し、前記通信品質測定部により測定された通信品質が所定の閾値以下である場合に当該ユーザ端末２００の通信可能な無線通信方式として第１の無線通信方式を通知する。
【０１３７】
第１の基地局３００からの下りリンクの信号に基づいて、通信品質を測定する通信品質測定部を有し、該通信品質が所定の閾値以下である場合には、当該ユーザ端末２００の通信可能な無線通信方式として第１の無線通信方式を通知することにより、第２の基地局５００に対して接続要求を行うことなく、第１の基地局３００との間で接続処理を行うことができる。通信品質が所定の閾値以下である場合には、第２の基地局５００に対して接続要求を行っても失敗すると想定される。第１の基地局３００との間で接続処理を行うことにより、当該ユーザ端末２００と基地局との間の接続時間を短縮できる。
【０１３８】
本実施例によれば、第１の無線通信方式により通信可能な第１の無線通信システムと、第２の無線通信方式により通信可能な第２の無線通信システムとを含む複数の無線通信システムを切り替えて無線通信可能なユーザ端末２００との間で無線通信を行う基地局３００が提供される。該基地局装置は、前記ユーザ端末２００との間で接続処理を行う接続処理部としての通信制御部３０４と、該接続処理部により接続処理が行われたユーザ端末２００により通信可能な無線通信方式として通知された第２の無線通信方式に基づいて、当該基地局の周辺に設置された第２の無線通信システムの第２の基地局５００の情報を取得する基地局情報取得部としての接続基地局設定部３０４４と、該基地局情報取得部により取得された第２の基地局５００の情報を前記ユーザ端末２００に通知する基地局情報通知部としての接続基地局設定部と、前記ユーザ端末２００から接続要求を受信したことを記録する履歴記録部としての通信履歴記録部３０８とを有する。前記接続処理部は、前記履歴記録部に記録された前記ユーザ端末２００からの接続要求を受信した回数に基づいて、当該基地局３００との接続を継続するかどうかを判定する。前記基地局情報通知部は、前記接続処理部により当該基地局３００との接続を継続しないと判定された場合に、前記第２の基地局５００の情報を前記ユーザ端末２００に通知し、
前記ユーザ端末は、当該基地局により第２の基地局の情報が通知された場合に、該第２の基地局に対して接続要求を行う。
【０１３９】
ユーザ端末２００からの接続要求を受信した回数に基づいて、当該基地局３００との接続を拒否するかどうかを判定することにより、第２の基地局５００に接続できない場合に、該第２の基地局５００に対する接続要求の回数を低減できる。該第２の基地局５００に対する接続要求の回数を低減できるため、第２の基地局５００への接続要求時間を短縮できる。上述した実施例では、接続基地局設定部３０４４が、基地局情報取得部の機能と基地局情報通知部の機能を有する場合について説明した。しかし、接続基地局設定部３０４４を、基地局情報取得部と基地局情報通知部とに分けて構成してもよい。
【０１４０】
説明の便宜上、発明の理解を促すため具体的な数値例を用いて説明されるが、特に断りのない限り、それらの数値は単なる一例に過ぎず適切な如何なる値が使用されてよい。
【０１４１】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１４２】
２００  ユーザ端末
２０２  送受信部
２０４  通信制御部
２０４１  無線通信方式通知部
２０４２  接続処理部
２０４４  接続手続き回数取得部
２０４６  通信品質測定部
２０６  送受信データ処理部
２０８  通信履歴記録部
３００（３００１、３００２）  基地局（第１のシステムの基地局）
３０２  送受信部
３０４  通信制御部
３０４２  接続開始要求受信回数取得部
３０４４  接続基地局設定部
３０６  送受信データ処理部
３０８  通信履歴記録部
３５０（３５０１、３５０２）  セル
４００  無線ネットワーク制御装置
４０２  基地局情報通知部
４０４  記憶部
５００  基地局（第２のシステムの基地局）
５０２  送受信部
５０４  通信制御部
５０６  送受信データ処理部
５５０  セル
６００  アクセスゲートウェイ
７００  コアネットワーク
【図１】
2010245888.tif 000003
【図２】
2010245888.tif 000004
【図３】
2010245888.tif 000005
【図４】
2010245888.tif 000006
【図５】
2010245888.tif 000007
【図６】
2010245888.tif 000008
【図７】
2010245888.tif 000009
【図８】
2010245888.tif 000010
【図９】
2010245888.tif 000011
【図１０】
2010245888.tif 000012